(57)【特許請求の範囲】
【請求項１】
少なくとも２つの離間したガイド面であって、対応する側において連接膜を介して連接されたガイド面を具備する種類の、車のオープトップ構造用のガイドレールの製造方法において、
該製造方法が少なくとも次の工程、
−  前記ガイド面が、連接膜の所定部分回りでの仮想的な回転動作を通じて、前記ガイド面の所望の最終位置に比較して、より離れて離間する形態で該ガイドレールを製造する工程と、
−  前記ガイド面を所望の最終位置に向けて移動させる工程と、
を備え、
前記ガイドレールが、前記連接膜の間の一体蝶番と共にプラスチック材料から、所定の形態であって、前記ガイド面が、前記一体蝶番回りでの前記連接膜の仮想的な折りたたみ動作を通じて、所望の最終位置に比較してより離れて離間する形態において、製造され、  前記連接膜は、前記ガイド面を所望の最終位置に向けて移動させるために、前記一体蝶番回りで折りたたまれ、
−  前記ガイド面の最終位置において前記一体蝶番の両側に互いに係合する連接膜に、嵌め合い形状を設ける工程をさらに備えることを特徴とするガイドレールの製造方法。
【請求項２】
折りたたみ後の最終位置において前記ガイド面を安定させる工程を、さらに備えることを特徴とする請求項１に記載のガイドレール製造方法。
【請求項３】
折りたたみ後の最終位置において前記ガイド面を安定させる工程が、前記一体蝶番の両側の前記連接膜において共働する固定手段を設ける工程を備えることを特徴とする請求項２に記載のガイドレール製造方法。
【請求項４】
前記固定手段が、前記ガイド面の最終位置おいて一直線に並び、そして固定部材を収容するための孔を具備することを特徴とする請求項３に記載のガイドレール製造方法。
【請求項５】
前記固定手段が、前記ガイド面の最終位置において共働するスナップ部材を具備することを特徴とする請求項３に記載のガイドレール製造方法。
【請求項６】
外部部品に接続可能な一体接続手段を設ける工程を、さらに備えることを特徴とする請求項１から５のいずれか一項に記載のガイドレール製造方法。
【請求項７】
前記ガイドレールの製造が、射出成形によって行われることを特徴とする請求項１から６のいずれか一項に記載のガイドレール製造方法。
【請求項８】
前記ガイド面が初めは別々に製造されて、後で連接されることを特徴とする請求項１に記載のガイドレール製造方法。
【請求項９】
少なくとも２つの離間するガイド面であって、対応する側で連接膜を介して連接されたガイド面を具備する種類の車のオープトップ構造用のガイドレールにおいて、
当該ガイドレールが、プラスチック材料から製造され、
前記連接膜が、該ガイドレールの長手方向に延在する一体蝶番を備え、前記一体蝶番の両側の前記連接膜の一部が、ガイド面の最終位置において互いに係合する嵌め合い形状を有することを特徴とするガイドレール。
【請求項１０】
前記連接膜が、前記一体蝶番の両側において共働する固定手段を備えることを特徴とする請求項９に記載のガイドレール。
【請求項１１】
前記固定手段が、ねじのような固定部材を収容するための孔を具備することを特徴とする請求項１０に記載のガイドレール。
【請求項１２】
前記固定手段が、共働するスナップ部材を具備することを特徴とする請求項１０に記載のガイドレール。
【請求項１３】
外部部品に連接できる一体式接続手段をさらに備えることを特徴とする請求項９から１２のいずれか一項に記載のガイドレール。
【発明の詳細な説明】
【技術分野】
【０００１】
本発明は、第１に、少なくとも２つの離間したガイド面であって、対応する側において連接膜を介して連接されたガイド面を具備する種類のガイドレールの製造方法に関する。
【背景技術】
【０００２】
上記の種類の最先端のガイドレールは、押し出し加工を使ってアルミニウムから製造される。しかし、（車のオープントップ構造の用途の中の）多くの用途おいてアルミニウムから製造されたガイドレールでは、使用するための最適な形状を得られないということがデメリットである。
【発明の概要】
【発明が解決しようとする課題】
【０００３】
本発明の目的は、上記の種類のガイドレールの改善された製造方法を提供することである。
【課題を解決するための手段】
【０００４】
すなわち、本発明によると該製造方法は、少なくとも２つの下記工程、
−  ガイド面が、連接膜の所定部分回りでの仮想的な回転を通じて、該ガイド面の所望の最終位置に比較して、より離れて離間する形態において、ガイドレールを製造する工程と、
−  ガイド面を、所望の最終位置に向けて移動させる工程と、
を備えることを特徴とする。
【０００５】
ガイド面が、前記一体蝶番回りでの連接膜の仮想的なの折りたたみ動作を通じて、所望の最終位置に比較してより離れて離間する形態において、ガイドレールが、連接膜内の一体蝶番と共にプラスチック材料から製造され、連接膜は、所望の最終位置に向けてガイド面を移動させて一体蝶番回りで折りたたまれることが好ましい。
【０００６】
結果として、ガイドレールをその全部品（多くの場合複雑な形状である）と共に製造することがより容易になるように、ガイドレールは、初期に「折りたたみ式オープン (folded open) 」位置（例えば、両ガイド面及び連接膜などのガイドレールの全部品が概ね一つの平面上に配置される位置）においてに製造される。その後、ガイドレールは、その最終位置に向けて折りたたまれ又はつぶされて使用できる状態になる。
【０００７】
本発明による方法は、また、ガイド面がその最終位置に達する前にそのようなスライド部材の導入が生じるため、ガイドレールにおけるスライドシュー（slide shoe）のようなスライド部材の導入が促進されるというメリットを有する。
【０００８】
本発明での方法は、折りたたんだ後の最終位置でガイド面を固定する工程をさらに備えることが好ましい。そのような固定はガイドレールが再びその初期（「オープン」）位置に戻ってしまうことを防ぐ。
【０００９】
例えば、折りたたんだ後の最終位置でガイド面を固定する工程は、一体蝶番の両側の連接膜において共働する固定手段を備えうる。
【００１０】
１つの実施形態での固定手段は、ガイド面の最終位置において一直線に並ぶ孔であり、そして、例えば、ねじのような固定手段を収容するための孔を具備する。ねじ（又は複数のねじ）を使用することで、ガイドレールは、使用上所望の最終位置において保持される。しかし、そのようなねじ（又は他の固定手段）は、同時にガイドレールを（例えば車の屋根のような）外部の構成部品に取り付けるために使用してもよい。
【００１１】
別の解決方法例として、固定手段は、ガイド面の最終位置で共働するスナップ部材を具備してもよい。
【００１２】
本発明による方法は、また、外部部品に連接できる一体式接続手段を備える。例えば、外部部品とは、（ドライブケーブルのガイド機能などの）特別な機能を供給するためにガイドレールに取り付けられた部材を含む。
【００１３】
好ましくは、ガイドレールの製造は射出成形によって行われる。その製造の初期段階においてガイドレールが「折りたたみ式オープン」状態なので、複雑な形状であってもガイドレールの製造に、射出成形工程を使用できる。
【００１４】
最後に、本方法の実施形態では、ガイド面の最終位置において互いに係合する一体蝶番の両側の連接膜部に、嵌め合い形状を提供する工程を備えることが可能である。前記嵌め合い形状はガイドレールを安定させるのに役立つ。
【００１５】
さらに、本発明による方法は、陽極酸化処理(anodizing)又はフライス加工などの、ガイドレールがアルミニウムから作られる時に必要な工数がもはや必要ではないという優位点を有する。結果として得られるガイドレールは通常、より強固であり騒がしい雑音の発生がより少ない。
【００１６】
別の実施形態において、ガイド面は、初期には分離した部品として製造され、後で連接される。これらの部品の連接に関する詳細は、一体蝶番を使用する方法に対して関連する実施形態から推論できる。
【００１７】
第二に、本発明は、少なくとも２つの離間するガイド面であって、対応する側で連接膜を介して連接されたガイド面を具備する種類のガイドレールに関する。本発明によると当該ガイドレールは、プラスチック材料から製造され、連接膜は、ガイドレールの長手方向に延在する一体蝶番を具備することを特徴とする。
【００１８】
そして、連接膜は、一体蝶番の両側において共働する固定手段を備えることが好ましい。該固定手段は、例えば、（複数の）ねじのなどの固定部材を収容する孔であってもよい。
【００１９】
また一方、他の実施形態において前記固定手段は、共働するスナップ部材を具備する。
【００２０】
前記ガイドレールは、例えば駆動ケーブルのガイドチャンネルを形成する部品のような外部部品に接続できる一体式連接手段をさらに備えることも可能である。
【００２１】
最後に、特定の実施形態において、一体蝶番の両側の連接膜は、ガイド面の最終位置において互いに係合する嵌め合い形状を有する。前述のように、これはガイドレールの（ガイド面の最終位置における）安定度を増す。
【００２２】
本発明は、図面を参照して以下に詳細に説明される。
【図面の簡単な説明】
【００２３】
【図１】初期形状による本発明に対するガイドレールの断面図である。
【図２】最終形状における図１のガイドレールの図である。
【発明を実施するための形態】
【００２４】
初めに、図２を参照すると、ガイドレールは、第１ガイド面１と、間隙を介した第２ガイド面２と、を具備する。ガイド面１及び２は連接膜３を介して連接している。
【００２５】
前記ガイドレールは、ガイド面１及び２の間の（図示されていない）ガイド部材をガイドレールの長手方向にスライド又は回転するように案内するために使用される。
【００２６】
図２に示されるガイドレールは、下記の様式（図１参照）、すなわち、ガイド面１及び２が、前記一体蝶番４回りでの前記連接膜３の仮想的な折りたたみ動作を通じて、（図２で示すような）所望の最終位置に比較して、より離れて離間する形態において、連接膜の間の一体蝶番と共にプラスチック材料からガイドレールを製造する第１工程と（ここで示される特定の実施形態では、ガイド面１及び２と連接膜とがほぼ一直線に並ぶ形態である。しかし、これらの部品が一直線に並ばず、角度を含むことも可能である。）、続いて、ガイド面１及び２を所望の（図２で示す）最終位置に向けて移動させて一体蝶番４回りで連接膜３を（図１の矢印５に従って）折りたたむ第２工程と、において製造される。
【００２７】
ガイドレールの製造は（図示されていない型を使った）射出成形によって行うことが好ましい。
【００２８】
上記の折りたたむ第２工程の後、ガイド面は最終位置において安定する。図示された実施形態における孔６及び７は、一体蝶番の両側の連接膜に備えられ、該孔６及び７は、ガイド面の最終位置（図２）において一直線に並び、また、ねじ８（図２に概要的に示す）のような固定部材を収容するためのものである。複数対の孔をガイドレールの長手方向に備えてもよい。
【００２９】
前記孔６及び７は、ガイドレールの（例えば射出成形時のような）初期の製造時に備えられてもよい。
【００３０】
ガイド面の最終位置において互いに係合する一体蝶番の両側の連接膜３所定部分は、図２に示すその最終位置において安定し、かつ強固なガイドレールの姿勢を得るために（例えば９及び１０、又は１１及び１２のような）嵌め合い形状を備える。
【００３１】
さらに、ガイドレールは、（例えばケーブルガイド１４を受ける孔１３のように）外部パーツに接続できる一体式接続手段を備えてもよい。
【００３２】
本発明は前述された実施形態に限られるものではなく、添付の請求項の範囲で説明されるように本発明の範囲内で幅広く変更されてもよい。
【符号の説明】
【００３３】
１  第１ガイド面
２  第２ガイド面
３  連接膜
４  一体蝶番
６  第１孔
７  第２孔
【図１】
0005436444.tif 000002
【図２】
0005436444.tif 000003